(57)【要約】【課題】本発明の課題は、電子透かし情報や、その他の相当情報に、違法に配信または記録されたコンテンツデータであることを検出できる情報を付加するようにして、違法なコンテンツの記録や違法なコンテンツの再生を防止しつつ、著作権者側の意図に応じたコンテンツデータの利用環境を提供することである。【解決手段】データ受信記録装置２は、ネットワークを介して受信したデジタル音楽データに埋め込まれた埋込データを判定し、ネットワークを介して受信したデジタル音楽データの配信が許諾されていない場合は、受信したデジタル音楽データの記録を行わない。また、配信が許諾されたデジタル音楽データを受信した場合は、更に、埋込データに含まれた複製管理情報の設定内容が一世代に限って複製が許諾されたデータであることを示す情報の場合は、埋込データの複製管理情報を複製禁止を示す情報に書き換えた上でデジタル音楽データを記録させる。【選択図】          図３
2004212768.tif 000002
【特許請求の範囲】
【請求項１】
記録媒体からコンテンツデータを読み出す読出手段と、
前記読出手段により読み出されたコンテンツデータを再生する再生手段と、
前記読出手段により読み出されたコンテンツデータに付加された付加情報を検出するとともに、前記読出手段により前記記録媒体の特定位置から読み出された付加情報を検出する付加情報検出手段と、
前記付加情報検出手段により前記コンテンツデータ及び前記記録媒体から各々検出された各付加情報の間に一定の関係が成立するか否かを判別して前記再生手段によるコンテンツデータの再生を制御する再生制御手段と、を備えることを特徴とするデータ再生装置。
【請求項２】
記録媒体からコンテンツデータを読み出す読出手段と、
前記読出手段により読み出されたコンテンツデータを再生する再生手段と、
前記読出手段により読み出されたコンテンツデータに付加された付加情報を検出するとともに、前記読出手段により前記記録媒体の特定位置から読み出された付加情報を検出する付加情報検出手段と、
前記付加情報検出手段により検出された前記コンテンツデータの付加情報に当該コンテンツデータの配信を許諾しないことを示す情報が含まれるか否かを識別する情報識別手段と、
前記情報識別手段により前記コンテンツデータの配信を許諾しないことを示す情報が含まれると識別された場合、当該コンテンツデータの付加情報に含まれた認証用の情報と、前記記録媒体の付加情報に含まれた認証用の情報との間に一定の関係が成立するか否かを判別して前記再生手段によるコンテンツデータの再生を制御する再生制御手段と、を備えることを特徴とするデータ再生装置。
【請求項３】
前記付加情報検出手段は、
前記コンテンツデータに電子透かし情報として埋め込まれた鍵情報を抽出する電子透かし情報抽出手段と、
前記電子透かし情報抽出手段により抽出された鍵情報により、該鍵情報により暗号化された前記付加情報を復号する復号手段と、を備えることを特徴とする請求項１又は２の何れか一項に記載のデータ再生装置。
【請求項４】
コンテンツデータを入力する入力手段と、
前記入力手段により入力されたコンテンツデータを記録媒体に記録する記録手段と、
前記入力手段により入力されたコンテンツデータに付加された認証用の情報を検出するとともに、当該コンテンツデータに付加された付加情報を検出する情報検出手段と、
前記情報検出手段により前記コンテンツデータから検出された認証用の情報と付加情報との間に一定の関係が成立するか否かを判別して前記記録手段によるコンテンツデータの記録を制御する記録制御手段と、を備えることを特徴とするデータ記録装置。
【請求項５】
コンテンツデータを入力する入力手段と、
前記入力手段により入力されたコンテンツデータを記録媒体に記録する記録手段と、
前記入力手段により入力されたコンテンツデータに付加された認証用の情報を検出するとともに、当該コンテンツデータに付加された付加情報を検出する情報検出手段と、
前記情報検出手段により検出された前記コンテンツデータの付加情報に当該コンテンツデータの配信を許諾しないことを示す情報が含まれるか否かを識別する情報識別手段と、
前記情報識別手段により前記コンテンツデータの配信を許諾しないことを示す情報が含まれると識別された場合、前記情報検出手段により当該コンテンツデータから検出された認証用の情報と付加情報との間に一定の関係が成立するか否かを判別して前記記録手段によるコンテンツデータの記録を制御する記録制御手段と、を備えることを特徴とするデータ記録装置。
【請求項６】
コンテンツデータを入力する入力手段と、
前記入力手段により入力されたコンテンツデータを記録媒体に記録する記録手段と、
前記入力手段により入力されたコンテンツデータに付加された認証用の情報を検出するとともに、当該コンテンツデータに付加された付加情報を検出する情報検出手段と、
前記情報検出手段により前記コンテンツデータから検出された認証用の情報と付加情報との間に一定の関係が成立しておらず、当該付加情報に当該コンテンツデータの複製を一世代に限って許諾することを示す情報が付加されている場合、前記記録手段によるコンテンツデータの記録を阻止する記録制御手段と、を備えることを特徴とするデータ記録装置。
【請求項７】
前記情報検出手段は、
前記コンテンツデータに電子透かし情報として埋め込まれた鍵情報を抽出する電子透かし情報抽出手段と、
前記電子透かし情報抽出手段により抽出された鍵情報により、該鍵情報により暗号化された前記認証用の情報及び前記付加情報を復号する復号手段と、を備えることを特徴とする請求項４〜６の何れか一項に記載のデータ記録装置。
【発明の詳細な説明】
【０００１】
【発明の属する技術分野】
本発明は、コンテンツデータを再生するデータ再生装置及びコンテンツデータを記録するデータ記録装置に関する。
【０００２】
【従来の技術】
近年、音楽や画像、文書等のコンテンツがデジタルデータとして流通するようになり、ＥＭＤ（Ｅｌｅｃｔｒｏｎｉｃ  Ｍｕｓｉｃ  Ｄｉｓｔｒｉｂｕｔｉｏｎ：デジタル音楽配信）と呼ばれるサービスも開始されている。これに伴って、コンテンツデータの著作権の保護が重要な課題となり、様々な手法が提案されている。
【０００３】
ＣＤ等に用いられる著作権管理手法として、ＳＣＭＳ（Ｓｅｒｉａｌ  Ｃｏｐｙ  Ｍａｎａｇｅｍｅｎｔ  Ｓｙｓｔｅｍ）を挙げて説明すると、パッケージ販売されるＣＤ（Ｃｏｍｐａｃｔ  Ｄｉｓｋ）に記録されたデジタル音楽データには、ＳＣＭＳ情報と呼ばれるデータが付加されていた。このＳＣＭＳ情報は、デジタルデータとしての複製を制限する情報であり、主に一世代に限って複製を許諾するものであった。
【０００４】
そして、デジタル音楽データを再生・記録可能なオーディオ機器により、デジタル音楽データをＣＤからＭＤ（Ｍｉｎｉ  Ｄｉｓｋ）へ複製する場合には、一世代に限ってデジタルコピーが可能であり、二世代以上のデジタルコピーは記録できないようにすることが、コンテンツ提供側から要求されていた。
【０００５】
また更には、「Ｄｉｇｉｔａｌ  Ｗａｔｅｒ  Ｍａｒｋ（以下、電子透かしという）」と呼ばれる技術を用い、コンテンツデータに特定のデータを付加する手法があった。これはコンテンツの信号そのものの中に、著作権に関する情報を記録する方法で、それを取り除くことが極めて困難であり、改ざんされ難いという点で、著作権情報の記録に向いている。
【０００６】
また、インターネット等のネットワークを介して不特定多数の端末装置に配信されたコンテンツ等の著作権侵害行為を抑制する装置として、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置がある（例えば、特許文献１参照。）。
【０００７】
【特許文献１】
特開２００１−１８８５４９号公報
【０００８】
【発明が解決しようとする課題】
しかしながら、オーディオプレーヤから出力される再生データを記録する場合、正規のコンテンツを再生しているものか、違法コピーされたコンテンツを再生しているものかを判断することはできなかった。すなわち、現状のオーディオプレーヤの再生用出力インターフェースでは、ＣＤ等の再生において当該メディアが記録可能メディアであることを示す識別情報は出力されていない。
【０００９】
また、電子透かしがオリジナルコンテンツを意味する「Ｏｎｅ  Ｇｅｎｅｒａｔｉｏｎ  Ｃｏｐｙ」であっても、それが本当に正規のＣＤを再生しているのか、違法コピーされたコンテンツを伝送しているか等を見分けることができなかった。
【００１０】
また、違法なネットワーク配信を違法に受信して違法に記録したコンテンツが違法に出力される場合、具体的には、違法な受信器が違法配信コンテンツを受信して、それを出力する場合、正規のレコーダーは、その違法コンテンツを排除することができなかった。
【００１１】
また、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置では、帯域毎のフィルタ処理や検出処理等の処理が複雑になるという問題があった。
【００１２】
本発明の課題は、電子透かし情報や、その他の相当情報に、違法に配信または記録されたコンテンツデータであることを検出できる情報を付加するようにして、違法なコンテンツの記録や違法なコンテンツの再生を防止しつつ、著作権者側の意図に応じたコンテンツデータの利用環境を提供することである。
【００１３】
【課題を解決するための手段】
以上の課題を解決するため、請求項１記載の発明のデータ再生装置は、記録媒体からコンテンツデータを読み出す読出手段と、前記読出手段により読み出されたコンテンツデータを再生する再生手段と、前記読出手段により読み出されたコンテンツデータに付加された付加情報を検出するとともに、前記読出手段により前記記録媒体の特定位置から読み出された付加情報を検出する付加情報検出手段と、前記付加情報検出手段により前記コンテンツデータ及び前記記録媒体から各々検出された各付加情報の間に一定の関係が成立するか否かを判別して前記再生手段によるコンテンツデータの再生を制御する再生制御手段と、を備えることを特徴としている。
【００１４】
更に、請求項２記載の発明のデータ再生装置は、記録媒体からコンテンツデータを読み出す読出手段と、前記読出手段により読み出されたコンテンツデータを再生する再生手段と、前記読出手段により読み出されたコンテンツデータに付加された付加情報を検出するとともに、前記読出手段により前記記録媒体の特定位置から読み出された付加情報を検出する付加情報検出手段と、前記付加情報検出手段により検出された前記コンテンツデータの付加情報に当該コンテンツデータの配信を許諾しないことを示す情報が含まれるか否かを識別する情報識別手段と、前記情報識別手段により前記コンテンツデータの配信を許諾しないことを示す情報が含まれると識別された場合、当該コンテンツデータの付加情報に含まれた認証用の情報と、前記記録媒体の付加情報に含まれた認証用の情報との間に一定の関係が成立するか否かを判別して前記再生手段によるコンテンツデータの再生を制御する再生制御手段と、を備えることを特徴としている。
【００１５】
更に、請求項３記載の発明のデータ再生装置において、前記付加情報検出手段は、前記コンテンツデータに電子透かし情報として埋め込まれた鍵情報を抽出する電子透かし情報抽出手段と、前記電子透かし情報抽出手段により抽出された鍵情報により、該鍵情報により暗号化された前記付加情報を復号する復号手段と、を備えることが効果的である。
【００１６】
更に、請求項４記載の発明のデータ記録装置は、コンテンツデータを入力する入力手段と、前記入力手段により入力されたコンテンツデータを記録媒体に記録する記録手段と、前記入力手段により入力されたコンテンツデータに付加された認証用の情報を検出するとともに、当該コンテンツデータに付加された付加情報を検出する情報検出手段と、前記情報検出手段により前記コンテンツデータから検出された認証用の情報と付加情報との間に一定の関係が成立するか否かを判別して前記記録手段によるコンテンツデータの記録を制御する記録制御手段と、を備えることを特徴としている。
【００１７】
更に、請求項５記載の発明のデータ記録装置は、コンテンツデータを入力する入力手段と、前記入力手段により入力されたコンテンツデータを記録媒体に記録する記録手段と、前記入力手段により入力されたコンテンツデータに付加された認証用の情報を検出するとともに、当該コンテンツデータに付加された付加情報を検出する情報検出手段と、前記情報検出手段により検出された前記コンテンツデータの付加情報に当該コンテンツデータの配信を許諾しないことを示す情報が含まれるか否かを識別する情報識別手段と、前記情報識別手段により前記コンテンツデータの配信を許諾しないことを示す情報が含まれると識別された場合、前記情報検出手段により当該コンテンツデータから検出された認証用の情報と付加情報との間に一定の関係が成立するか否かを判別して前記記録手段によるコンテンツデータの記録を制御する記録制御手段と、を備えることを特徴としている。
【００１８】
更に、請求項６記載の発明のデータ記録装置は、コンテンツデータを入力する入力手段と、前記入力手段により入力されたコンテンツデータを記録媒体に記録する記録手段と、前記入力手段により入力されたコンテンツデータに付加された認証用の情報を検出するとともに、当該コンテンツデータに付加された付加情報を検出する情報検出手段と、前記情報検出手段により前記コンテンツデータから検出された認証用の情報と付加情報との間に一定の関係が成立しておらず、当該付加情報に当該コンテンツデータの複製を一世代に限って許諾することを示す情報が付加されている場合、前記記録手段によるコンテンツデータの記録を阻止する記録制御手段と、を備えることを特徴としている。
【００１９】
更に、請求項７記載の発明のデータ記録装置において、前記情報検出手段は、前記コンテンツデータに電子透かし情報として埋め込まれた鍵情報を抽出する電子透かし情報抽出手段と、前記電子透かし情報抽出手段により抽出された鍵情報により、該鍵情報により暗号化された前記認証用の情報及び前記付加情報を復号する復号手段と、を備えることが効果的である。
【００２０】
【発明の実施の形態】
以下、図を参照して本発明の実施の形態を詳細に説明する。
［第１の実施の形態］
図１〜図２は、本発明を適用した第１の実施の形態におけるデータ受信再生装置を示す図である。
まず、構成を説明する。
図１は、本実施の形態におけるデータ受信再生装置１の機能的構成を示すブロック図である。データ受信再生装置１は、外部の配信装置（図示せず）によりネットワークを介して送信されるデータを受信して再生する装置である。
【００２１】
ネットワークは、専用線、公衆電話回線、衛星通信回線等の各種通信回線や図示しない各種サーバ等を含んで構成され、その具体的態様は特に限定されない。また、配信装置及びデータ受信再生装置１とネットワークとの間には、ＩＳＰ（Ｉｎｔｅｒｎｅｔ  Ｓｅｒｖｉｃｅ  Ｐｒｏｖｉｄｅｒ）やＮＳＰ（Ｎｅｔｗｏｒｋ  Ｓｅｒｖｉｃｅ  Ｐｒｏｖｉｄｅｒ）等が提供するサーバやファイアーウォール、ゲートウェイ装置等の各種機器が介在する構成としても良いが、ここでは図示しない。
【００２２】
本第１の実施の形態では、コンテンツデータとして音楽データを受信して再生する例について説明する。従来から、パッケージ販売されるＣＤやＤＶＤ（Ｄｉｇｉｔａｌ  Ｖｅｒｓａｔｉｌｅ  Ｄｉｓｃ）等に記録されたデジタル音楽データには、ＳＣＭＳ（Ｓｅｒｉａｌ  Ｃｏｐｙ  Ｍａｎａｇｅｍｅｎｔ  Ｓｙｓｔｅｍ）と呼ばれるデータが付加されている。ここで、ＳＣＭＳ情報の構成を表１に示す。
【表１】
2004212768.tif 000003
【００２３】
上記表１に示すように、ＳＣＭＳ情報は２ビットで構成されており、デジタル音楽データの複製に関して、３通りの制限を示している。
例えば、ＳＣＭＳ情報「００」は、「Ｃｏｐｙ  Ｆｒｅｅ」すなわち複製について制限がないことを示している。また、ＳＣＭＳ情報「１０」は、「Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」すなわち一世代の複製のみ許諾されていることを示し、ＳＣＭＳ情報「１１」は、「Ｎｏ  Ｍｏｒｅ  Ｃｏｐｙ」すなわち複製が禁止されていることを示している。
【００２４】
従って、デジタル音楽データにＳＣＭＳ情報「１０」が付加されている場合、そのデジタル音楽データは、一世代に限り、デジタルデータとして複製することが可能である。例えば、パッケージ販売されているＣＤを購入したユーザが、このＣＤに記録されたデジタル音楽データをＣＤ−ＲやＣＤ−ＲＷ等のディスクメディアや、半導体メモリメディアに記録することは可能であるが、そのディスクメディアや半導体メモリメディアから、さらに他のメディアにデジタル音楽データをデジタルコピーすることは許諾されていない。
【００２５】
また、パッケージ販売されているＣＤに記録されたデジタル音楽データには、著作権を主張する電子データが信号ビット列の中の１ビットの著作権情報ビットで付加されているが、これを改竄が困難な電子透かし情報として特定のデータを挿入することで表示することも可能である。ＣＤの場合、ＳＣＭＳの情報の「００」に対応する状態は、この著作権情報の１ビットが「１」に対応していて、「１０」に対応する状態は、この著作権ビットが「０」の状態に対応する。
【００２６】
また、ＳＣＭＳの「１１」に対応する状態は、この著作権情報の１ビットがおおよそ１秒の周期で１と０が交互に出てくる状態で対応している。
このように複雑な構造になったのは、元々ＳＣＭＳの考え方がＣＤが発売された後、デジタル録音装置ＤＡＴが市場に投入される時点で決められたためである。
ＤＡＴの場合は、最初から著作権情報として２ビットが割り当てられていたので、ＳＣＭＳ本来のビット構造をとっている。つまり、ＳＣＭＳの情報には著作権を主張する情報とコピー世代を示す情報の双方が含まれている。
【００２７】
同様に、デジタル音楽データにＳＣＭＳ情報「００」が付加されている場合、そのデジタル音楽データは自由にデジタルコピーすることが可能であり、デジタル音楽データにＳＣＭＳ情報「１１」が付加されている場合、そのデジタル音楽データは既に一回コピーされたコンテンツを示し、更なるデジタルコピーは不可能である。なお、現在市販されているデジタル音楽データのデジタルコピーが可能な機器は、概ねＳＣＭＳ情報の制限に準じた動作を行うものとなっている。
【００２８】
さらに、本第１の実施の形態では、受信及び再生されるデジタル音楽データには、１２ビットのデータが埋め込まれているものとする。この１２ビットのデータを、以下、「埋込データ」と称呼し、その構成を表２に示す。
【表２】
2004212768.tif 000004
【００２９】
上記表２に示すように、１１ビットで構成される埋込データは、先頭の１ビットである「第１ビット」と、この第１ビットに次ぐ２ビットの「第２，第３ビット」と、この第３ビットに次ぐ８ビットの「第４ビット〜第１１ビット」に分けられる。
【００３０】
表２の第１ビットのデータは、該埋込データが埋め込まれたデジタル音楽データが、ＥＭＤ（Ｅｌｅｃｔｒｏｎｉｃ  Ｍｕｓｉｃ  Ｄｉｓｔｒｉｂｕｔｉｏｎ）のサービス等による配信が許諾されたデータであるか否かを示す。具体的には、第１ビットが「０」であれば、該埋込データが埋め込まれたデジタル音楽データは配信が許諾されたデータであり、第１ビットが「１」であれば、該埋込データが埋め込まれたデジタル音楽データは配信が許諾されていないデータである。
【００３１】
なお、ここで配信が許諾されたデータとは、著作権者等によりＥＭＤ等による配信が正規に許諾されたデジタル音楽データであり、正規に認証された配信装置１１によって、通常のデジタル音楽データに埋込データを埋め込んでなるものである。従って、デジタル音楽データが通信ネットワークを介して配信されたもの総てが配信用のデータであるとは限らない。
【００３２】
例えば、パッケージ販売されるメディアに記録されたデジタル音楽データは、著作権者等の意図により、該メディアを再生する装置による利用のみが許諾され、ネットワークを介した配信が許諾されないことが想定される。このような場合、パッケージ販売されるデジタル音楽データには、第１ビットに「１」が設定される。
【００３３】
一方、ネットワークを介して配信されることを想定して作成されたデジタル音楽データには、第１ビットに「０」が設定される。さらに、パッケージ販売されるメディアに記録されるデジタル音楽データであっても、著作権者等の意図により、ネットワークを介した配信が許諾される場合も想定される。このような場合、第１ビットに「０」が設定されたデジタル音楽データを記録したメディアがパッケージ販売されることもあり得る。
【００３４】
また、表２に示す第２，第３ビットのデータは２ビットで構成されており、デジタル音楽データの複製に関して、３通りの制限を示す情報である。
例えば、第２，第３ビットのデータが「００」の場合、「Ｃｏｐｙ  Ｆｒｅｅ」すなわち複製について制限がないことを示している。また、第２，第３ビットのデータが「１０」の場合、「Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」すなわち一世代の複製のみ許諾されていることを示し、第２，第３ビットのデータが「１１」の場合は、「Ｎｅｖｅｒ  Ｃｏｐｙ」もしくは「Ｎｏ  Ｍｏｒｅ  Ｃｏｐｙ」すなわち複製が禁止されていることを示している。
【００３５】
従って、例えば埋込データ「０１０」が埋め込まれたデジタル音楽データは、配信が許諾されたデータであって、一世代のみデジタルデータとして複製することが可能である。このように、３ビットで構成される埋込データは、デジタル音楽データの配信の可否と、該デジタル音楽データに関して定められたデジタルコピーの制限とを示すデータである。
【００３６】
また、例えば、埋込データ「０１０」が埋め込まれたデジタル音楽データについて、１回の複製を行った場合、埋込データを「０１１」に書き換えれば、複製に関する制限が「Ｃｏｐｙ  Ｏｎｃｅ」から「Ｎｏ  Ｍｏｒｅ  Ｃｏｐｙ」へ変化する。すなわち、埋込データが指定した通り、一世代の複製のみが実行され、複製されたデータはそれ以上の複製が許可されなくなり、著作権者の意図に従った著作権の保護が可能となる。
【００３７】
また、表２に示す第４〜第１１ビットのデータは、８ビットで構成されており、正規のデータ受信再生装置１にのみ搭載される認証プログラムにより処理される認証用データであり、後述するパッケージメディア内の特定位置に書き込まれた認証用付加データとの間で予め設定された規定の関係が成立するか否かが判別されるデータである。
【００３８】
なお、本発明の実施の形態において、埋込データは、いわゆる「Ｄｉｇｉｔａｌ  Ｗａｔｅｒ  Ｍａｒｋ（電子透かし）」技術によってデジタル音楽データに埋め込まれるものであり、一般消費者による記録・改変が不可能なように記録されたものである。電子透かし技術は、従来、Ｉｎｆｏｒｍａｔｉｏｎ  ｈｉｄｉｎｇやＳｔｅｇａｎｏｇｒａｐｈｙ（情報隠蔽技術）と呼ばれていた技術であり、画像や音声等を表すデジタルデータの中に特定の情報を埋め込むための技術である。電子透かし技術により埋め込まれた情報は、上記画像や音声を閲覧・再生する通常の手段では発見が困難な状態となり、情報を埋め込んでも、もとのデジタルデータが示す画像や音声には、視覚や聴覚で感じられる程度の変化が現れない。このため、一般消費者による記録・改変は非常に困難である。
ここで、デジタル音楽データに対する電子透かし技術の一例について説明する。
【００３９】
一般に、音楽ＣＤに記録されるデジタル音楽データは、音声のアナログ原信号を標本化周波数４４．１ｋＨｚ  でサンプリングして得られた信号であり、ステレオ音声のＬ・Ｒチャンネルは、それぞれ１６ビットの量子化信号で構成される。すなわち、一般的なデジタル音楽データは、１秒当たり４４，１００個のサンプルが時間軸に沿って並ぶサンプルストリームとして表され、ステレオ音声の場合は、それぞれＬ・Ｒチャンネルに対応する２本のサンプルストリームで表される。
【００４０】
電子透かし技術によって情報を埋め込む場合、情報を埋め込む対象のデジタル音楽データのサンプルストリームは、時間軸に沿って一定区間毎に分割される。ここで、分割された各区間をタイムスライスと称する。各タイムスライスは互いに重なり合うことなく隣り合っており、各タイムスライスには、例えば１２８ビットのサンプルが含まれる。
【００４１】
デジタル音楽データのサンプルストリームに情報を埋め込む手法としては、時間軸領域で情報を埋め込む方法と、サンプルストリームを周波数領域に変換した上で情報を埋め込む方法が挙げられる。サンプルストリームを周波数領域に変換した上で情報を埋め込む場合、情報を埋め込んだ後で、時間軸領域への逆変換を行って、もとのサンプルストリームと同じ形態のデータにする必要がある。この逆変換によって、埋め込まれた情報は時間軸領域に分散され、検出することが非常に困難になるので、結果的に解読に対する防御性が高められる。
【００４２】
サンプルストリームを周波数領域に変換するためには、ＦＦＴ（Ｆａｓｔ  ＦｏｕｒｉｅｒＴｒａｎｓｆｏｒｍ：高速フーリエ変換）が用いられる。例えば、上記のタイムスライスに対してＦＦＴを実行すると、１２８のサンプルを含むタイムスライスが周波数領域に変換され、０Ｈｚ〜２２ｋＨｚにおける１２８の周波数帯のエネルギー量を示すスペクトルが得られる。なお、変換後の周波数帯の上限周波数は、Ｎｙｑｕｉｓｔ  周波数、またはサンプリングレートの１／２として決定される。
【００４３】
そして、ＦＦＴにより得られる各周波数帯のスペクトルを人工的に加工することにより、情報を埋め込むことができる。ただし、スペクトルの加工によって、デジタル音楽データの音質に影響が及ばないことが望ましいため、全ての情報を一カ所に埋め込むのではなく、情報を分散して埋め込む必要がある。
【００４４】
情報を分散して埋め込むために、スペクトラム拡散を利用する方法が知られている。この方法では、情報をスペクトラム拡散によって全周波数帯域に拡散し、スペクトルに重畳する。しかしながら、スペクトラム拡散では情報の挿入に関するパラメータが固定されるので、全周波数帯にわたって情報が拡散されていることが明らかになってしまう。
【００４５】
このため、電子透かし情報が容易に検出され、電子透かし情報の不正な加工や除去が行われるおそれがある。また、スペクトルの状態とは無関係に全周波数帯に情報を分散するため、全周波数帯にホワイトノイズが加えられたのと同様の影響があり、もとのデジタル音楽データに聴覚で感じられるほどの影響を与えてしまうおそれがある。
【００４６】
そこで、最近では、人間の聴覚特性として知られているマスキング効果を利用して情報を埋め込む手法が提案されている。
具体的には、周波数領域のスペクトルの波形に基づき、もとのデジタル音楽データにおいてマスキング効果が期待されるマスキング領域を検出する。このマスキング領域に情報を付加した場合、マスキング効果によって、情報の付加による影響を聴覚で感じることは非常に困難になる。そこで、マスキング領域に対して情報を分散して付加すれば、もとのデジタル音楽データの音質に影響を及ぼすおそれがない。なお、この方法では電子透かし情報が付加された箇所がスペクトルの形状によって異なるため、その位置等を表す情報が、予め定められた形式のキーとしてデジタル音楽データに埋め込まれる。
【００４７】
マスキング効果を利用して電子透かし情報を埋め込んだ場合、キャリア信号、すなわち音声を表す信号に対して−１５ｄＢ（デシベル）程度の、知覚できないレベルで情報を埋め込むことができる。このため、電子透かし情報が容易に発見されるおそれもなく、また、情報を埋め込むことでもとのデジタル音楽データの音質を劣化させるおそれも無い。
【００４８】
そして、情報が埋め込まれた周波数領域のスペクトルは逆変換によって時間軸領域に変換され、もとのサンプルストリームと同じ形態のデジタル音楽データに復元される。デジタル音楽データに埋め込まれた電子透かし情報は、予め定められた形式の正当なキーに関する情報を保持する機器によってのみ、該キーをもとに検出し、書き換えることが可能である。一方、正当なキーに関する情報を保持していない機器によって電子透かし情報を検出し、電子透かし情報の書き換えや除去を行うことは非常に困難である。
このため、デジタル音楽データに埋め込まれた電子透かし情報は、正当なユーザによってのみ処理可能であり、意図しない第三者によって除去あるいは改変されるおそれがない。
【００４９】
さらに、本第１の実施の形態では、デジタル音楽データが読み出されるパッケージメディア内の特定位置には８ビットの認証用付加データが書き込まれているものとする。この８ビットの認証用付加データの構成例を表３に示す。
【表３】
2004212768.tif 000005
【００５０】
上記表３に示すように、８ビットで構成される認証用付加データは、パッケージメディア内の特定位置に書き込まれており、ネットワークを介した配信時にデジタル音楽データとともに配信され、データ受信再生装置１において受信される。
この認証用付加データは、上記埋込データ内の第５〜第１２ビットに設定される認証用データとの間で予め設定された規定の関係が成立するか否かが判別されるデータである。
【００５１】
図１に戻り、データ受信再生装置１は、デジタル音楽データが入力されるインターフェースとしてネットワーク接続端子１０１を備えている。
ネットワーク接続端子１０１は、ネットワークとの間でデジタルデータを送受信するためのインターフェースである。ネットワーク接続端子１０１を介しては、扱う種類を問わず一般的なデジタルデータ全般を送受信することが可能である。
【００５２】
ネットワーク接続端子１０１には通信制御部１０２が接続されており、通信制御部１０２によって、ネットワーク接続端子１０１を介したデジタルデータの受信が制御される。すなわち、通信制御部１０２は、ネットワークを介して接続される配信装置（図示せず）等の各装置や、ネットワークとデータ受信再生装置１との間に存在するサーバ（図示せず）等との間で、所定の通信プロトコルに従った通信制御信号をネットワーク接続端子１０１を介して送受信することによって、通信回線を確立し、デジタルデータの受信が可能な状態に移行する。
【００５３】
また、通信制御部１０２は、ネットワーク接続端子１０１を介して入力されるデジタルデータを解析し、受信したデジタルデータを、後述する相互認証部１０３もしくは受信データデコーダ１０７に出力する。
【００５４】
例えば、通信制御部１０２は、ネットワークとデータ受信再生装置１との間に存在するＩＳＰのサーバ（図示せず）あるいは配信装置から、音楽データや映像データ等のデジタルコンテンツの著作権を保護するために策定された認証処理に係るデータが送信された場合には、このデータを受信して相互認証部１０３へ出力する。
【００５５】
そして、通信制御部１０２は、上記ＩＳＰのサーバあるいは配信装置と相互認証部１０３との間におけるデータの送受信を実行させ、認証処理を行わせる。この認証処理によって、上記ＩＳＰのサーバあるいは配信装置によりデータ受信再生装置１が認証を受けると、ネットワーク接続端子１０１を介して暗号化されたデジタル音楽データが送信されるので、通信制御部１０２は、このデジタル音楽データを受信して相互認証部１０３へ出力する。
【００５６】
なお、上記認証処理に準じたデジタル音楽データとは、著作権を保護するためのＤＲＭ（Ｄｉｇｉｔａｌ  Ｒｉｇｈｔｓ  Ｍａｎａｇｅｍｅｎｔ）情報を含むものである。ＤＲＭ情報は、著作権者らの意向に基づいて定められた再生や記録に関する制限内容を示す情報であり、例えば、再生の許諾／不許諾、複製の許諾／不許諾といった制限を示すものであり、一世代に限った複製のみを許諾することもできる。
【００５７】
そして、デジタル音楽データの再生や記録はＤＲＭ情報により許諾された範囲内で行われる。そして、認証処理に準じたデジタル音楽データを受信し、再生や記録を行う装置は、予め上記認証処理を策定する機関により承認され、デジタル音楽データからＤＲＭ情報を抽出するための処理が可能となっている機器でなければならず、これらの機器はＤＲＭ情報が示す制限を遵守して再生や記録を行うようになっている。
【００５８】
上記認証処理に準じたデジタル音楽データは予め定められた形式に則って暗号化されて送受信される。従って、認証処理に準じたデジタル音楽データを受信して利用するためには、予め上記認証処理を策定する機関により承認され、暗号を解読するキー等を内蔵している機器を用いる必要がある。
【００５９】
また、通信制御部１０２は、上記の認証処理に係るデータ以外のデータがネットワーク接続端子１０１を介して入力された場合には、このデジタルデータを受信データデコーダ１０７に出力する。
【００６０】
相互認証部１０３は、通信制御部１０２及びネットワーク接続端子１０１を介して接続された上記ＩＳＰのサーバ（図示せず）あるいは配信装置との間で、著作権保護のために策定された認証処理を行う回路であり、認証処理を経た後にネットワーク接続端子１０１から入力されるデジタル音楽データを暗号解読部１０４に出力する。
【００６１】
暗号解読部１０４は、暗号化されたデジタル音楽データが相互認証部１０３から入力されると、このデジタル音楽データをデコードして出力回路１０６に出力するとともに、デジタル音楽データを解読する際に、このデジタル音楽データに含まれるＤＲＭ情報を抽出してＤＲＭ処理部１０５に出力する。
【００６２】
ＤＲＭ処理部１０５は、暗号解読部１０４から入力されたＤＲＭ情報の内容を識別する処理を行い、ＤＲＭ情報に異常がなく、かつ、デジタル音楽データの再生が許可されている場合は、デジタル音楽データの出力を許可する指示を出力回路１０６に出力する。
【００６３】
そして、出力回路１０６は、ＤＲＭ処理部１０５からデジタル音楽データの出力を許可する指示が入力された場合にのみ、暗号解読部１０４から入力されたデジタル音楽データをＤ／Ａコンバータ１１２に出力する。一般に、デジタル音楽データは、非圧縮形式ではデータ容量が非常に大きく、ネットワークを介した配信に適していない。
【００６４】
このため、ネットワークを介してデジタル音楽データを配信する際には、ＷＡＶ形式等の非圧縮形式からＭＰ３（Ｍｏｖｉｎｇ  Ｐｉｃｔｕｒｅ  Ｅｘｐｅｒｔ  Ｇｒｏｕｐ  Ｐｈａｓｅ２  −  Ａｕｄｉｏ  Ｌａｙｅｒ  ＩＩＩ）形式等のデータ形式へ圧縮処理が行われる。そこで、受信データデコーダ１０８は、通信制御部１０２により受信されたデジタル音楽データをデコードすることによって、圧縮された形式から再生が容易な非圧縮形式への変換を行う。
受信データデコーダ１０８は、例えば、ＭＰ３等の形式で圧縮されたデジタル音楽データを、再生が容易な非圧縮形式に変換して埋込データデコーダ１０９に出力する。
【００６５】
埋込データデコーダ１０９は、受信データデコーダ１０８から入力されるデジタル音楽データを出力回路１１１に出力するとともに、このデジタル音楽データに埋め込まれた埋込データを抽出しデコードして埋込データ判定部１１０に出力する。
【００６６】
埋込データ判定部１１０は、埋込データデコーダ１０９から入力された埋込データの判定を行い、埋込データの第１ビットが「１」か「０」かを判定する。上記表２に示すように、埋込データの第１ビットはデジタル音楽データの配信を許諾するか否かを示すものであり、「０」はＥＭＤ等による配信を許諾することを示し、「１」は配信を許諾しないことを示す。
【００６７】
そして、埋込データ判定部１１０は、埋込データデコーダ１０９から入力された埋込データの第１ビットが「１」であった場合、このデジタル音楽データはネットワークを介した配信が許諾されたものでないと判断し、出力回路１１１に対してデジタル音楽データの出力を停止する旨の指示を出力する。
【００６８】
また、埋込データ判定部１１０は、埋込データデコーダ１０９から入力された埋込データの第１ビットが「０」であった場合、このデジタル音楽データは配信が許諾されたデータであると判断し、出力回路１１１に対してデジタル音楽データを出力する旨の指示を出力する。
【００６９】
出力回路１１１は、埋込データ判定部１１０からデジタル音楽データを再生する旨の指示が入力された場合にのみ、埋込データデコーダ１０９から入力されたデジタル音楽データをＤ／Ａコンバータ１１２に出力する。
【００７０】
Ｄ／Ａコンバータ１１２は、出力回路１０６及び出力回路１１１から入力されるデジタル音楽データをＤ／Ａ（Ｄｉｇｉｔａｌ  ｔｏ  Ａｎａｌｏｇ）変換してアナログ音声信号を生成してアナログ出力端子１１３に出力する。
アナログ出力端子１１３は、ピンジャックやミニジャック等、データ受信再生装置１の外部の機器に対してアナログ音声信号を出力するための端子である。
【００７１】
次に、本実施の形態の動作を説明する。
図１のデータ受信再生装置１において実行されるデジタル音楽データの受信再生処理について図２に示すフローチャートに基づいて説明する。
図２において、データ受信再生装置１の通信制御部１０２は、ネットワークからネットワーク接続端子１０１を介して入力されたデータを受信すると（ステップＳ１０１）、この受信データが暗号化データか否かを判別する（ステップＳ１０２）。すなわち、上記認証処理に準じたデータか否かを暗号化データの有無により判別する。
【００７２】
通信制御部１０２は、受信データが暗号化データである場合は（ステップＳ１０２：Ｙｅｓ）、受信データを相互認証部１０３に出力してデータ送信元のプロバイダとの認証を行わせる（ステップＳ１０３）。
【００７３】
相互認証部１０３では、通信制御部１０２及びネットワーク接続端子１０１を介して接続されたプロバイダのＩＳＰのサーバあるいは配信装置との間で、著作権保護のために策定された認証処理が行われ、認証処理を経た後にネットワーク接続端子１０１から入力されるデジタル音楽データが暗号解読部１０４に出力される。
【００７４】
暗号解読部１０４は、相互認証部１０３から入力された暗号化されたデジタル音楽データをデコードして出力回路１０６に出力するとともに、このデジタル音楽データに含まれるＤＲＭ情報を抽出してＤＲＭ処理部１０５に出力する（ステップＳ１０４、Ｓ１０５）。
【００７５】
ＤＲＭ処理部１０５は、暗号解読部１０４から入力されたＤＲＭ情報の内容を識別し、ＤＲＭ情報に異常がなく、かつ、デジタル音楽データの再生が許可されているか否かを判別する（ステップＳ１０６）。ＤＲＭ処理部１０５は、デジタル音楽データの再生が許可されている場合は、デジタル音楽データの出力を許可する指示を出力回路１０６に出力する。
【００７６】
そして、出力回路１０６は、ＤＲＭ処理部１０５からデジタル音楽データの出力を許可する指示が入力された場合にのみ、暗号解読部１０４から入力されたデジタル音楽データをＤ／Ａコンバータ１１２に出力して、Ｄ／Ａ変換させてアナログ音声信号をアナログ出力端子１１３から出力させる（ステップＳ１０７）。
【００７７】
また、ＤＲＭ処理部１０５は、デジタル音楽データの再生が許可されていない場合は、デジタル音楽データの出力を許可しない指示を出力回路１０６に出力して、デジタル音楽データの再生を禁止する（ステップＳ１０８）。
【００７８】
また、ステップＳ１０２において、受信データが暗号化データでない場合は（ステップＳ１０２：Ｎｏ）、通信制御部１０２は、受信データを受信データデコーダ１０８に出力して、受信データデコーダ１０８によりＭＰ３等の形式で圧縮されたデジタル音楽データをデコードさせて埋込データデコーダ１０９に出力させる（ステップＳ１０９）。
【００７９】
埋込データデコーダ１０９では、受信データデコーダ１０８から入力されたデジタル音楽データが出力回路１１１に出力されるとともに、このデジタル音楽データに埋め込まれた埋込データが抽出されてデコードされ埋込データ判定部１１０に出力される。
【００８０】
埋込データ判定部１１０は、埋込データデコーダ１０９から入力された埋込データを解読し（ステップＳ１１０）、上記表２に示した１２ビット構成の第１ビットの設定に基づいて、デジタル音楽データの配信が許諾されているか否かを判定する（ステップＳ１１１）。
【００８１】
すなわち、埋込データ判定部１１０は、第１ビットが「０」であった場合、このデジタル音楽データは配信が許諾されたデータであると判定し（ステップＳ１１１：Ｙｅｓ）、出力回路１１１に対してデジタル音楽データを出力する旨の指示を出力し、第１ビットが「１」であった場合、このデジタル音楽データは配信が許諾されていないデータであると判定し（ステップＳ１１１：Ｎｏ）、デジタル音楽データの出力を許可しない指示を出力回路１１１出力して、デジタル音楽データの再生を禁止する（ステップＳ１１２）。
【００８２】
以上のように、データ受信再生装置１は、ネットワークを介して受信したデジタル音楽データに埋め込まれた埋込データを判定することによって、ＥＭＤ等による配信が正規に許諾されたデジタル音楽データか否かを判定する。そして、配信が許諾されたデジタル音楽データを受信した場合は、その再生を行ってアナログ音声信号を出力し、ネットワークを介して受信したデジタル音楽データの配信が許諾されていないデータであった場合は、再生出力を行わない。
【００８３】
これにより、パッケージメディア等の再生メディアからのコピーされ、ネットワークを介した配信が正規に許諾されていないデータが、ネットワークを介して送信された場合は、その再生を行わないので、著作権を無視した不正なデータが際限なく利用されることがない。
【００８４】
また、データ受信再生装置１は、相互認証部１０３によって認証処理を経て入力されたデジタル音楽データについては、ＤＲＭ処理部１０５でＤＲＭ情報の内容を解析することで、デジタル音楽データに付加されたＤＲＭ情報に基づく再生処理を行う。このため、著作権の保護に対応するデジタル音楽データについては問題なく再生することができる。
【００８５】
［第２の実施の形態］
図３〜図４は、本発明を適用した第２の実施の形態におけるデータ受信記録装置を示す図である。
まず、構成を説明する。
図３は、本実施の形態におけるデータ受信記録装置２の機能的構成を示すブロック図である。データ受信記録装置２は、外部の配信装置（図示せず）によりネットワークを介して送信されるデータを受信して記録する装置である。
【００８６】
ネットワーク接続端子２０１は、ネットワークとの間でデジタルデータを送受信するためのインターフェースである。
【００８７】
ネットワーク接続端子２０１には通信制御部２０２が接続されており、通信制御部２０２によって、ネットワーク接続端子２０１を介したデジタルデータの送受信が制御される。すなわち、通信制御部２０２は、ネットワークを介して接続される外部の配信装置（図示せず）等の各装置や、ネットワークとデータ受信記録装置２との間に存在するサーバ（図示せず）等との間で、所定の通信プロトコルに従った通信制御信号を、ネットワーク接続端子２０１を介して送受信することにより通信回線を確立し、デジタルデータの送受信が可能な状態に移行する。
【００８８】
また、通信制御部２０２は、ネットワーク接続端子２０１を介して入力されるデジタルデータを解析し、受信したデジタルデータを、後述する相互認証部２０３もしくは受信データデコーダ２１１に出力する。
【００８９】
例えば、通信制御部２０２は、ネットワークとデータ受信記録装置２との間に存在するＩＳＰのサーバ（図示せず）あるいは配信装置から音楽データや映像データ等のデジタルコンテンツの著作権を保護するために策定された認証処理に係るデータが送信された場合には、このデータを受信して相互認証部２０３に出力する。
【００９０】
そして、通信制御部２０２は、上記ＩＳＰのサーバあるいは配信装置と相互認証部２０３との間におけるデータの送受信を実行させ、認証処理を行わせる。この認証処理によって、上記ＩＳＰのサーバあるいは配信装置によりデータ受信記録装置２が認証を受けると、ネットワーク接続端子２０１を介して暗号化されたデジタル音楽データが送信されるので、通信制御部２０２は、このデジタル音楽データを受信して相互認証部２０３に出力する。
【００９１】
また、通信制御部２０２は、上記の認証処理に係るデータ以外のデータがネットワーク接続端子２０１を介して入力された場合には、このデジタルデータを受信データデコーダ２１１に出力する。
【００９２】
相互認証部２０３は、上記の相互認証部１０３（図１）と同様に、通信制御部２０２およびネットワーク接続端子２０１を介して接続された上記ＩＳＰのサーバあるいは配信装置との間で、著作権保護のために策定された認証処理を行う回路であり、認証処理を経た後にネットワーク接続端子２０１から入力されるデジタル音楽データを暗号解読部２０４に出力する。
【００９３】
暗号解読部２０４は、上記の暗号解読部１０４（図１）と同様に、暗号化されたデジタル音楽データが相互認証部２０３から入力されると、このデジタル音楽データをデコードして出力回路２０６に出力するとともに、このデジタル音楽データに含まれるＤＲＭ情報を抽出してＤＲＭ処理部２０５に出力する。
【００９４】
ＤＲＭ処理部２０５は、上記のＤＲＭ処理部１０５（図１）と同様に、暗号解読部２０４から入力されたＤＲＭ情報に設定された複製管理情報の内容（「ＣｏｐｙＯｎｃｅ（Ｏｎｅ  Ｇｅｎｅｒａｔｉｏｎ  Ｃｏｐｙ  Ｐｅｒｍｉｔｔｅｄ）」、「Ｃｏｐｙ  Ｆｒｅｅ」又は「Ｎｏ  Ｍｏｒｅ  Ｃｏｐｙ，Ｎｅｖｅｒ  Ｃｏｐｙ」）を判別し、ＤＲＭ情報に異常がなく、かつ、複製管理情報にデジタル音楽データの複製を許可することを示す「Ｃｏｐｙ  Ｆｒｅｅ」が設定されていた場合、デジタル音楽データの出力を許可する指示を出力回路２０６に出力するとともに、デジタル音楽データの記録を許可する指示を埋込データ書換部２０９に出力する。
【００９５】
また、ＤＲＭ処理部２０５は、複製管理情報に一世代に限って複製を許可することを示す「Ｃｏｐｙ  Ｏｎｃｅ」が設定されていた場合、出力回路２０６に対してデジタル音楽データを出力する旨の指示を出力するとともに、埋込データ書換部２０９に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する。
【００９６】
さらに、ＤＲＭ処理部２０５は、複製管理情報に複製を許可しないことを示す「Ｎｏ  Ｍｏｒｅ  Ｃｏｐｙ，Ｎｅｖｅｒ  Ｃｏｐｙ」が設定されていた場合、出力回路２０６に対してデジタル音楽データを出力を停止する旨の指示を出力するとともに、埋込データ書換部２０９に対してデジタル音楽データの記録を行わない旨の指示を出力する。
【００９７】
そして、出力回路２０６は、ＤＲＭ処理部２０５からデジタル音楽データの出力を許可する指示が入力された場合にのみ、暗号解読部２０４から入力されたデジタル音楽データを受信データデコーダ２０７に出力する。
【００９８】
受信データデコーダ２０７は、出力回路２０６から入力されたデジタル音楽データをデコードして出力回路２０８に出力する。例えば、受信データデコーダ２０７は、ＭＰ３等の形式で圧縮されたデジタル音楽データを非圧縮形式に変換して出力回路２０８に出力する。
【００９９】
受信データデコーダ２１１は、通信制御部２０２から入力されるデータをデコードして、埋込データデコーダ２１２に出力する。
【０１００】
埋込データデコーダ２１２は、受信データデコーダ２１１から入力されるデジタル音楽データを出力回路２１４に出力するとともに、このデジタル音楽データに埋め込まれた埋込データを抽出してデコードし埋込データ判定部２１３に出力する。
【０１０１】
埋込データ判定部２１３は、埋込データデコーダ２１２から入力された埋込データの判定を行い、埋込データの第１ビットが、「１」か「０」かを判定する。上記表２に示すように、埋込データの第１ビットはデジタル音楽データの配信が許諾されているか否かを示すものであり、「０」はＥＭＤ等による配信を許諾することを示し、「１」は配信を許諾しないことを示す。
【０１０２】
そして、埋込データ判定部２１３は、埋込データデコーダ２１２から入力された埋込データの第１ビットが「１」であった場合、このデジタル音楽データはネットワークを介した配信が許諾されたものでないと判断し、出力回路２１４に対してデジタル音楽データの出力を停止する旨の指示を出力する。
【０１０３】
また、埋込データ判定部２１３は、埋込データデコーダ２１２から入力された埋込データの第１ビットが「０」であった場合、このデジタル音楽データは配信が許諾されたデータであると判断し、更に、埋込データの第２，第３ビットの判定を行う。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【０１０４】
そして、埋込データ判定部２１３は、埋込データデコーダ２１２から入力された埋込データの第２，第３ビットが「１１」であった場合は、出力回路２１４に対してデジタル音楽データの出力を停止する旨の指示を出力するとともに、埋込データ書換部２０９に対してデジタル音楽データの記録を行わない旨の指示を出力する。
【０１０５】
また、埋込データ判定部２１３は、埋込データデコーダ２１２から入力された埋込データの第２，第３ビットが「１０」であった場合、このデジタル音楽データは一世代に限って複製が許諾されたデータであるから、出力回路２１４に対してデジタル音楽データを出力する旨の指示を出力するとともに、埋込データ書換部２０９に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する。
【０１０６】
さらに、埋込データ判定部２１３は、埋込データデコーダ２１２から入力された埋込データの第２，第３ビットが「００」であった場合、このデジタル音楽データは複製が制限されないデータであるから、出力回路２１４に対してデジタル音楽データを出力する旨の指示を出力するとともに、埋込データ書換部２０９に対してデジタル音楽データを記録する旨の指示を出力する。
【０１０７】
そして、出力回路２１４は、埋込データ判定部２１３からデジタル音楽データを出力する旨の指示が入力された場合にのみ、埋込データデコーダ２１２から入力されるデジタル音楽データを出力回路２０８に出力する。
【０１０８】
出力回路２０８は、受信データデコーダ２０７及び出力回路２１４から入力されるデジタル音楽データを埋込データ書換部２０９に出力する。
【０１０９】
そして、埋込データ書換部２０９は、ＤＲＭ処理部２０５または埋込データ判定部２１３から、デジタル音楽データを記録する旨の指示が入力された場合にのみ、出力回路２０８から入力されたデジタル音楽データを記録部２１０に出力する。
【０１１０】
また、埋込データ書換部２０９は、埋込データ判定部２１３から、埋込データの第２，第３ビットを「１１」に書き換える旨の指示が入力された場合には、出力回路２０８から入力されたデジタル音楽データについて、埋込データを「１１」に書き換える処理を行った上で、このデジタル音楽データを記録部２１０に出力する。
【０１１１】
なお、埋込データ書換部２０９によって埋込データを書き換える方法としては二通りの方法を採用することが可能である。一つは、既にデジタル音楽データに埋め込まれている埋込データを除去した上で、新たな埋込データをデジタル音楽データに埋め込む方法である。また、もう一つは、既にデジタル音楽データに埋め込まれている埋込データを除去せずに、既にデジタル音楽データに埋め込まれている埋込データが無効であることを示すデータと、新たな埋込データとを追記する方法である。
【０１１２】
前者の方法は、埋込データの書き換えによってデータ量が増加することがなく、効率が良いという利点がある。しかしながら、埋込データは検出や除去が困難な方法で埋め込まれており、確実に除去するためには比較的複雑な演算処理を要する。一方、埋込データを埋め込むための処理は、比較的単純な演算処理を行うことで実現できる。従って、後者の方法を採用した場合は、デジタル音楽データに分散して埋め込まれた埋込データを除去する処理が無い分だけハードウェア負担が軽い処理で済み、高速な処理が期待できるという利点が生じる。
【０１１３】
従って、本発明の実施の形態では、埋込データ書換部２０９によって埋込データを書き換えるための具体的な方法としては、既にデジタル音楽データに埋め込まれている埋込データを除去した上で、新たな埋込データをデジタル音楽データに埋め込む方法と、既にデジタル音楽データに埋め込まれている埋込データを除去せずに、既にデジタル音楽データに埋め込まれている埋込データが無効であることを示すデータと、新たな埋込データとを追記する方法とのいずれを採用しても良い。すなわち、本発明を実現する際のハードウェアの仕様や詳細なアルゴリズムに応じて、より好適な方法を採用すれば良く、いずれかの方法に限定されるものではない。
以下、本発明の実施の形態における埋込データ書換部４１４（図７）についても同様である。
【０１１４】
記録部２１０は、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、ＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ−ＲＡＭ（Ｄｉｇｉｔａｌ  Ｖｅｒｓａｔｉｌｅ  Ｄｉｓｋ−  Ｒａｎｄｏｍ  Ａｃｃｅｓｓ  Ｍｅｍｏｒｙ）等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体、あるいはこれらの記録媒体を内蔵する機器など、記録可能な媒体や機器にデジタルデータを記録する装置であり、埋込データ書換部２０９から入力されたデジタル音楽データを、上記媒体や機器に記録する。
【０１１５】
なお、記録部２１０は、上記の媒体や機器のように可搬性を有し、データ受信記録装置２から取り外して利用可能な媒体や機器にデジタル音楽データを記録するもののほか、データ受信記録装置２に内蔵される記録媒体にデジタル音楽データを記録するものとしても良い。
【０１１６】
次に、本実施の形態の動作を説明する。
図３のデータ受信記録装置２において実行されるデジタル音楽データの受信記録処理について図４に示すフローチャートに基づいて説明する。
図４において、データ受信記録装置２の通信制御部２０２は、ネットワークからネットワーク接続端子２０１を介して入力されたデータを受信すると（ステップＳ２０１）、この受信データが暗号化データか否かを判別する（ステップＳ２０２）。すなわち、上記認証処理に準じたデータか否かを暗号化データの有無により判別する。
【０１１７】
通信制御部２０２は、受信データが暗号化データである場合は（ステップＳ２０２：Ｙｅｓ）、受信データを相互認証部２０３に出力してデータ送信元のプロバイダとの認証を行わせる（ステップＳ２０３）。
【０１１８】
相互認証部２０３では、通信制御部２０２及びネットワーク接続端子２０１を介して接続されたプロバイダのＩＳＰのサーバあるいは配信装置との間で、著作権保護のために策定された認証処理が行われ、認証処理を経た後にネットワーク接続端子２０１から入力されるデジタル音楽データが暗号解読部２０４に出力される。
【０１１９】
暗号解読部２０４は、相互認証部２０３から入力された暗号化されたデジタル音楽データをデコードして出力回路２０６に出力するとともに、このデジタル音楽データに含まれるＤＲＭ情報を抽出してＤＲＭ処理部２０５に出力する（ステップＳ２０４、Ｓ２０５）。
【０１２０】
ＤＲＭ処理部２０５は、暗号解読部２０４から入力されたＤＲＭ情報の内容を識別し、ＤＲＭ情報に異常がなく、かつ、ＤＲＭ情報に設定されたデジタル音楽データの複製管理情報を判別する（ステップＳ２０６）。ＤＲＭ処理部２０５は、デジタル音楽データの複製管理情報が「Ｃｏｐｙ  Ｏｎｃｅ」、「Ｃｏｐｙ  Ｆｒｅｅ」又は「ＮｏＭｏｒｅ  Ｃｏｐｙ，Ｎｅｖｅｒ  Ｃｏｐｙ」か否かを判別する。
【０１２１】
ＤＲＭ処理部２０５は、複製管理情報に一世代に限って複製を許可することを示す「Ｃｏｐｙ  Ｏｎｃｅ」が設定されていた場合、出力回路２０６に対してデジタル音楽データを出力する旨の指示を出力するとともに、埋込データ書換部２０９に対して埋込データの第２，第３ビットを「Ｎｏ  Ｍｏｒｅ  Ｃｏｐｙ」を示す「１１」に書き換える旨の指示と、デジタル音楽データの記録を許可する旨の指示とを出力する（ステップＳ２０７）。
【０１２２】
出力回路２０６では、ＤＲＭ処理部２０５からデジタル音楽データの出力を許可する指示が入力されると、暗号解読部２０４から入力されたデジタル音楽データが受信データデコーダ２０７に出力される。受信データデコーダ２０７では、出力回路２０６から入力されたデジタル音楽データがデコードされて出力回路２０８に出力される。
【０１２３】
そして、出力回路２０８では、受信データデコーダ２０７から入力されたデジタル音楽データが埋込データ書換部２０９に出力される。埋込データ書換部２０９は、ＤＲＭ処理部２０５から埋込データの第２，第３ビットを「１１」に書き換える旨の指示と、デジタル音楽データの記録を許可する旨の指示が入力されると、出力回路２０８から入力されたデジタル音楽データの埋込データの第２，第３ビットを「１０」から「１１」に書き換えて記録部２１０に出力して、記録部２１０によりデジタル音楽データを記録媒体に記録させる（ステップＳ２０８）。
【０１２４】
また、ＤＲＭ処理部２０５は、複製管理情報にデジタル音楽データの複製を許可することを示す「Ｃｏｐｙ  Ｆｒｅｅ」が設定されていた場合、デジタル音楽データの出力を許可する指示を出力回路２０６に出力するとともに、デジタル音楽データの記録を許可する指示を埋込データ書換部２０９に出力する。
【０１２５】
出力回路２０６では、ＤＲＭ処理部２０５からデジタル音楽データの出力を許可する指示が入力されると、暗号解読部２０４から入力されたデジタル音楽データが受信データデコーダ２０７に出力される。受信データデコーダ２０７では、出力回路２０６から入力されたデジタル音楽データがデコードされて出力回路２０８に出力される。
【０１２６】
そして、出力回路２０８では、受信データデコーダ２０７から入力されたデジタル音楽データが埋込データ書換部２０９に出力される。埋込データ書換部２０９は、ＤＲＭ処理部２０５からデジタル音楽データの記録を許可する旨の指示が入力されると、出力回路２０８から入力されたデジタル音楽データを記録部２１０に出力して、記録部２１０によりデジタル音楽データを記録媒体に記録させる（ステップＳ２０８）。
【０１２７】
また、ＤＲＭ処理部２０５は、複製管理情報に複製を許可しないことを示す「Ｎｏ  Ｍｏｒｅ  Ｃｏｐｙ，Ｎｅｖｅｒ  Ｃｏｐｙ」が設定されていた場合、出力回路２０６に対してデジタル音楽データを出力を停止する旨の指示を出力するとともに、埋込データ書換部２０９に対してデジタル音楽データの記録を行わない旨の指示を出力して、デジタル音楽データの記録を禁止する（ステップＳ２０９）。
【０１２８】
また、ステップＳ２０２において、受信データが暗号化データでない場合は（ステップＳ２０２：Ｎｏ）、通信制御部２０２は、受信データを受信データデコーダ２１１に出力して、受信データデコーダ２１１によりＭＰ３等の形式で圧縮されたデジタル音楽データをデコードさせて埋込データデコーダ２１２に出力させる（ステップＳ２１０）。
【０１２９】
埋込データデコーダ２１２では、受信データデコーダ２１１から入力されたデジタル音楽データが出力回路２１４に出力されるとともに、このデジタル音楽データに埋め込まれた埋込データが抽出されてデコードされ埋込データ判定部２１３に出力される。
【０１３０】
埋込データ判定部２１３は、埋込データデコーダ２１２から入力された埋込データを解読し（ステップＳ２１１）、上記表２に示した１２ビット構成の第１ビットの設定に基づいて、デジタル音楽データの配信が許諾されているか否かを判定する（ステップＳ２１２）。
【０１３１】
すなわち、埋込データ判定部２１３は、第４ビットが「０」であった場合、このデジタル音楽データは配信が許諾されたデータであると判定し（ステップＳ２１２：Ｙｅｓ）、更に、埋込データの第２，第３ビットに設定される複製管理情報の判定を行う（ステップＳ２１３）。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【０１３２】
そして、埋込データ判定部２１３は、埋込データデコーダ２１２から入力された埋込データの第２，第３ビットが「１１：Ｎｏ  Ｍｏｒｅ  Ｃｏｐｙ，Ｎｅｖｅｒ  Ｃｏｐｙ」であった場合は、出力回路２１４に対してデジタル音楽データの出力を停止する旨の指示を出力するとともに、埋込データ書換部２０９に対してデジタル音楽データの記録を行わない旨の指示を出力して、デジタル音楽データの記録を禁止する（ステップＳ２１４）。
【０１３３】
また、埋込データ判定部２１３は、埋込データデコーダ２１２から入力された埋込データの第２，第３ビットが「１０：Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」であった場合、このデジタル音楽データは一世代に限って複製が許諾されたデータであるから、出力回路２１４に対してデジタル音楽データを出力する旨の指示を出力するとともに、埋込データ書換部２０９に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する（ステップＳ２０７）。
【０１３４】
出力回路２１４では、埋込データ判定部２１３からデジタル音楽データの出力を許可する指示が入力されると、埋込データデコーダ２１２から入力されたデジタル音楽データが出力回路２０８に出力される。出力回路２０８では、出力回路２１４から入力されたデジタル音楽データが埋込データ書換部２０９に出力される。
【０１３５】
そして、埋込データ書換部２０９は、埋込データ判定部２１３から埋込データの第２，第３ビットを「１１」に書き換える旨の指示と、デジタル音楽データの記録を許可する旨の指示が入力されると、出力回路２０８から入力されたデジタル音楽データの埋込データの第２，第３ビットを「１０」から「１１」に書き換えて記録部２１０に出力して、記録部２１０によりデジタル音楽データを記録媒体に記録させる（ステップＳ２０８）。
【０１３６】
さらに、埋込データ判定部２１３は、埋込データデコーダ２１２から入力された埋込データの第２，第３ビットが「００：Ｃｏｐｙ  Ｆｒｅｅ」であった場合、このデジタル音楽データは複製が制限されないデータであるから、出力回路２１４に対してデジタル音楽データを出力する旨の指示を出力するとともに、埋込データ書換部２０９に対してデジタル音楽データを記録する旨の指示を出力する。
【０１３７】
そして、出力回路２１４では、埋込データ判定部２１３からデジタル音楽データを出力する旨の指示が入力されると、埋込データデコーダ２１２から入力されたデジタル音楽データが出力回路２０８に出力される。出力回路２０８では、出力回路２１４から入力されたデジタル音楽データが埋込データ書換部２０９に出力される。
【０１３８】
そして、埋込データ書換部２０９は、埋込データ判定部２１３からデジタル音楽データを記録する旨の指示が入力されると、出力回路２０８から入力されたデジタル音楽データを記録部２１０に出力して、記録部２１０によりデジタル音楽データを記録媒体に記録させる（ステップＳ２０８）。
【０１３９】
また、ステップＳ２１２において、埋込データ判定部２１３は、埋込データの第１ビットが「１」であった場合、このデジタル音楽データは配信が許諾されていないデータであると判定し（ステップＳ２１２：Ｎｏ）、デジタル音楽データの記録を許可しない指示を埋込データ書換部２０９に出力して、デジタル音楽データの記録を禁止する（ステップＳ２１４）。
【０１４０】
以上のように、データ受信記録装置２は、ネットワークを介して受信したデジタル音楽データに埋め込まれた埋込データを判定することによって、ＥＭＤ等による配信が正規に許諾されたデジタル音楽データか否かを判定して、ネットワークを介して受信したデジタル音楽データの配信が許諾されていない場合は、受信したデジタル音楽データの記録を行わない。
【０１４１】
また、データ受信記録装置２は、配信が許諾されたデジタル音楽データを受信した場合は、更に、埋込データに含まれた複製管理情報の設定内容がデジタル音楽データの複製を許可するものか否かを判定し、一世代に限って複製が許諾されたデータであることを示す情報の場合は、埋込データの複製管理情報を複製禁止を示す情報に書き換えた上でデジタル音楽データを記録させる。
【０１４２】
さらに、データ受信記録装置２は、埋込データに含まれた複製管理情報の設定内容が複製禁止のデータであることを示す情報の場合は、受信したデジタル音楽データの記録を行わない。
【０１４３】
これにより、パッケージメディア等の再生メディアからコピーされ、ネットワークを介した配信が正規に許諾されていないデータが、ネットワークを介して送信された場合は、その記録を行わないので、著作権を無視した不正なデータが際限なく複製されることがない。
【０１４４】
したがって、埋込データで指示される複製の制限が無視されることなく確実に遵守され、著作権の保護に準じたデジタル音楽データの複製を制限することなく、著作権を無視した複製のみを確実に防止できる。
【０１４５】
また、データ受信記録装置２は、相互認証部２０３によって認証処理を経て入力されたデジタル音楽データについては、ＤＲＭ処理部２０５でＤＲＭ情報の内容を解析することで、デジタル音楽データに付加されたＤＲＭ情報に基づく記録処理を行う。このため、著作権の保護に対応するデジタル音楽データについては問題なく記録することができる。
【０１４６】
［第３の実施の形態］
図５〜図６は、本発明を適用した第３の実施の形態におけるパッケージメディア再生装置を示す図である。
まず、構成を説明する。
図５は、本実施の形態におけるパッケージメディア再生装置３の機能的構成を示すブロック図である。パッケージメディア再生装置３は、パッケージメディアであるＣＤに記録されたデジタル音楽データを読み取って再生する装置である。
【０１４７】
ＣＤドライブ３０１は、後述する再生制御部３０６から入力される再生制御信号に従ってＣＤの再生状態を制御する。読取部３０２は、ＣＤドライブ３０１により再生制御されるＣＤに記録されたデジタル音楽データを読み出して、サブコード読取部３０３、埋込データデコーダ３０４及び出力回路３０８に出力する。
【０１４８】
サブコード読取部３０３は、読取部３０２から入力されたデジタル音楽データの中からサブコードを読み取って比較部３０５に出力する。このサブコードは、ＣＤ内の特定位置に予め記録されたデジタル音楽データとは異なるデータであり、上記表３の認証用付加データを含むものとする。
【０１４９】
埋込データデコーダ３０４は、読取部３０２から入力されるデジタル音楽データに埋め込まれた埋込データを抽出してデコードし比較部３０５及び再生制御部３０６に出力する。この埋込データには、上記表２に示したように第４〜第１１ビットに認証用データが設定されている。
【０１５０】
比較部３０５は、サブコード読取部３０３から入力されたサブコード（認証用付加データ）と、埋込データデコーダ３０４から入力された埋込データに設定された認証用データとを比較して一致するか否かを判定し、その判定結果を示す信号を再生制御部３０６に出力する。
【０１５１】
記録メディア判定部３０７は、ＣＤの再生用及び記録用（ＣＤ−Ｒ，ＣＤ−ＲＷ）の構造に伴う物理特性に基づいて、記録不可能なパッケージ販売用のアルミディスクか記録可能ディスクかをメディア判定し、そのメディア判定結果を再生制御部３０６に出力する。
【０１５２】
再生制御部３０６は、後述する再生処理（図６参照）を実行し、メディア判定部３０７から入力されたメディア判定結果が再生用メディアであるＣＤである場合は、デジタル音楽データの再生実行を指示する信号を出力回路３０８に出力する。
【０１５３】
また、再生制御部３０６は、メディア判定部３０７から入力されたメディア判定結果が記録用メディアであるＣＤ−Ｒ又はＣＤ−ＲＷである場合は、埋込データデコーダ３０４から入力された埋込データの第１ビットの設定内容に基づいて、デジタル音楽データの配信が許諾されているか否かを判定する。
【０１５４】
すなわち、再生制御部３０６は、上記表２に示したように埋込データの第１ビットの設定が「０」の場合は配信が許諾されていると判定して、デジタル音楽データの再生実行を指示する信号を出力回路３０８に出力し、「１」の場合は配信が許諾されていないと判定して、更に、比較部３０５から入力された埋込データの第４〜第１１ビットに設定された認証用データと、ＣＤの特定位置に書き込まれたサブコードに設定された認証用付加データとの比較結果が一致か否かを判定する。
【０１５５】
そして、再生制御部３０６は、比較結果が一致していないと判定した場合は、デジタル音楽データの再生中止を指示する信号を出力回路３０８に出力し、比較結果が一致していると判定した場合は、更に、埋込データデコーダ３０４から入力された埋込データの第２，第３ビットに設定された複製管理情報に基づいて、デジタル音楽データの複製許可の可否を判定する。
【０１５６】
すなわち、再生制御部３０６は、上記表２に示したように埋込データの第２，第３ビットの設定が「００：Ｃｏｐｙ  Ｆｒｅｅ」又は「１１：Ｎｏ  Ｍｏｒｅ  Ｃｏｐｙ，Ｎｅｖｅｒ  Ｃｏｐｙ」の場合は、デジタル音楽データの再生実行を指示する信号を出力回路３０８に出力し、第２，第３ビットの設定が「１０：Ｃｏｐｙ  Ｏｎｃｅ（Ｏｎｅ  Ｇｅｎｅｒａｔｉｏｎ  ＣｏｐｙＰｅｒｍｉｔｔｅｄ）」の場合は、デジタル音楽データの再生中止を指示する信号を出力回路３０８に出力する。
【０１５７】
出力回路３０８は、再生制御部３０６から再生実行を指示する信号が入力された場合は、読取部３０２から入力されたデジタル音楽データをデジタル信号出力部３０９及びＤ／Ａコンバータ３１０に出力し、再生制御部３０６から再生中止を指示する信号が入力された場合は、読取部３０２から入力されたデジタル音楽データを出力しない。
【０１５８】
デジタル信号出力部３０９は、出力回路３０８から入力されたデジタル音楽データをデジタル出力端子に接続された外部のデジタルオーディオ機器に出力する。Ｄ／Ａコンバータ３１０は、出力回路３０８から入力されたデジタル音楽データをＤ／Ａ変換してアナログ音楽信号を生成し、アナログ出力端子に接続されたアナログオーディオ機器に出力する。
【０１５９】
次に、本実施の形態の動作を説明する。
図５のパッケージメディア再生装置３において実行されるデジタル音楽データの再生処理について図６に示すフローチャートに基づいて説明する。
図６において、パッケージメディア再生装置３の再生制御部３０６は、ＣＤドライブ３０１にＣＤがセットされたことを検出すると、再生制御信号をＣＤドライブ３０１に出力して、ＣＤの再生を開始させる（ステップＳ３０１）。
【０１６０】
ＣＤドライブ３０１によりＣＤメディアの再生が開始されると、記録メディア判定部３０７によりセットされたＣＤが記録不可能なパッケージ販売用アルミディスクであるＣＤか、記録可能ディスクであるＣＤ−Ｒ／ＣＤ−ＲＷかが判定され、このメディア判定結果が再生制御部３０６に出力される。
【０１６１】
再生制御部３０６は、記録メディア判定部３０７から入力されたメディア判定結果がＣＤを示した場合は、再生実行を指示する信号を出力回路３０８に出力して、読取部３０２によりＣＤから読み取られたデジタル音楽データを出力回路３０８からデジタル信号出力部３０９及びＤ／Ａコンバータ３１０に出力させる（ステップＳ３０８）。
【０１６２】
また、再生制御部３０６は、記録メディア判定部３０７から入力されたメディア判定結果がＣＤ−Ｒ／ＣＤ−ＲＷを示した場合は、埋込データデコーダ３０４によりデコードされて入力された埋込データの第１ビットの設定内容に基づいて、デジタル音楽データの配信が許諾されているか否かを判定する（ステップＳ３０３，Ｓ３０４）。
【０１６３】
すなわち、再生制御部３０６は、上記表２に示したように埋込データの第１ビットの設定が「０」の場合は配信が許諾されていると判定して（ステップＳ３０４：Ｙｅｓ）、デジタル音楽データの再生実行を指示する信号を出力回路３０８に出力して、読取部３０２によりＣＤから読み取られたデジタル音楽データを出力回路３０８からデジタル信号出力部３０９及びＤ／Ａコンバータ３１０に出力させる（ステップＳ３０８）。
【０１６４】
また、再生制御部３０６は、埋込データの第１ビットの設定が「１」の場合は配信が許諾されていないと判定して（ステップＳ３０４：Ｎｏ）、更に、比較部３０５から入力された埋込データの第４〜第１１ビットに設定された認証用データと、ＣＤの特定位置に書き込まれたサブコードに設定された認証用付加データとの比較結果が一致か否かを判定する（ステップＳ３０５，Ｓ３０６）。
【０１６５】
そして、再生制御部３０６は、比較結果が一致していないと判定した場合は（ステップＳ３０６：Ｎｏ）、デジタル音楽データの再生中止を指示する信号を出力回路３０８に出力して、読取部３０２によりＣＤから読み取られたデジタル音楽データの再生を中止させる（ステップＳ３０９）。
【０１６６】
また、再生制御部３０６は、比較結果が一致していると判定した場合は（ステップＳ３０６：Ｙｅｓ）、更に、埋込データデコーダ３０４から入力された埋込データの第２，第３ビットに設定された複製管理情報に基づいて、デジタル音楽データの複製許可の可否を判定する（ステップＳ３０７）。
【０１６７】
すなわち、再生制御部３０６は、上記表２に示したように埋込データの第２，第３ビットの設定が「００：Ｃｏｐｙ  Ｆｒｅｅ」又は「１１：Ｎｏ  Ｍｏｒｅ  Ｃｏｐｙ，Ｎｅｖｅｒ  Ｃｏｐｙ」の場合は、デジタル音楽データの再生実行を指示する信号を出力回路３０８に出力して、読取部３０２によりＣＤから読み取られたデジタル音楽データを出力回路３０８からデジタル信号出力部３０９及びＤ／Ａコンバータ３１０に出力させる（ステップＳ３０８）。
【０１６８】
また、再生制御部３０６は、埋込データの第２，第３ビットの設定が「１０：Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」の場合は、デジタル音楽データの再生中止を指示する信号を出力回路３０８に出力して、読取部３０２によりＣＤから読み取られたデジタル音楽データの再生を中止させる（ステップＳ３０９）。
【０１６９】
以上のように、本実施の形態のパッケージメディア再生装置３は、パッケージメディアであるＣＤを再生する際に、そのＣＤが再生用ＣＤか記録用ＣＤ−Ｒ／ＣＤ−ＲＷかを判定し、再生用ＣＤの場合はそのまま再生し、記録用ＣＤ−Ｒ／ＣＤ−ＲＷの場合は、更に埋め込みデータを解読して配信許諾の可否を判定して、配信が許諾されている場合に再生を実行する。
【０１７０】
また、配信が許諾されていない場合は、更に埋込データに設定された認証用データとＣＤの特定位置から読み取られた認証用付加データとの一致を判定し、一致した場合は、更に埋込データに設定された複製管理情報に基づいて再生を実行又は中止し、一致しない場合は再生を中止する。
【０１７１】
これにより、パッケージメディアの再生用ＣＤからコピーされた記録用ＣＤ−Ｒ／ＣＤ−ＲＷから読み取られたデジタル音楽データのうち、埋込データに配信を許諾することを設定されたものと、認証用データが一致し、かつ、埋込データに「００：Ｃｏｐｙ  Ｆｒｅｅ」又は「１１：Ｎｏ  Ｍｏｒｅ  Ｃｏｐｙ，Ｎｅｖｅｒ  Ｃｏｐｙ」が設定されたものが再生される。
【０１７２】
したがって、パッケージメディアの再生用ＣＤから違法に複製された記録用ＣＤ−Ｒ／ＣＤ−ＲＷに記録されたデジタル音楽データが、著作権を無視して際限なく再生されることがない。
【０１７３】
したがって、埋込データで指示される複製の制限が無視されることなく確実に遵守され、著作権の保護に準じたデジタル音楽データの再生を制限することなく、著作権を無視した複製データの再生のみを確実に防止できる。
【０１７４】
［第４の実施の形態］
図７〜図８は、本発明を適用した第４の実施の形態におけるデータ記録装置を示す図である。
まず、構成を説明する。
図７は、本実施の形態におけるデータ記録装置４の機能的構成を示すブロック図である。データ記録装置４は、アナログ音楽信号又はデジタル音楽データを記録用メディアであるＣＤ−Ｒに記録する装置である。
【０１７５】
データ記録装置４は、アナログ音楽信号を入力するアナログ入力端子４０１とデジタル音楽データを入力するデジタル入力端子４０３とを備えている。
アナログ入力端子４０１は、外部のアナログオーディオ機器（図示せず）のアナログ出力端子との間を所定のケーブル（図示せず）で接続され、アナログオーディオ機器のアナログ出力端子から出力されるアナログ音楽信号が入力される。
【０１７６】
デジタル入力端子４０３は、外部のデジタルオーディオ機器（図示せず）のデジタル出力端子との間を所定のケーブル（図示せず）で接続され、デジタルオーディオ機器のデジタル出力端子から出力されるデジタル音楽データが入力される。
【０１７７】
アナログ入力端子４０１に入力されたアナログ音楽信号は、Ａ／Ｄコンバータ４０２に入力される。Ａ／Ｄコンバータ４０２は、アナログ入力端子４０１から入力されるアナログ音楽信号を所定のサンプリングタイミングでサンプリングし量子化してデジ種音楽データを生成するアナログ／デジタル変換処理を実行し、その生成したデジタル音楽データを出力回路４０５に出力する。
【０１７８】
デジタル入力端子４０３に入力されたデジタル音楽データは、デジタルインタフェース４０４に入力される。デジタルインタフェース４０４は、デジタル入力端子４０３から入力されるデジタル音楽データを受信し、そのデジタル音楽データが暗号化されていなければ出力回路４０５に出力し、そのデジタル音楽データが暗号化されていれば相互認証部４０９に出力する。
【０１７９】
出力回路４０５は、Ａ／Ｄコンバータ４０２から入力されるデジタル音楽データ、又はデジタルインタフェース４０４から入力されるデジタル音楽データを埋込データデコーダ４０６及び出力回路４１２に出力する。
【０１８０】
埋込データデコーダ４０６は、出力回路４０５から入力されるデジタル音楽データに埋め込まれた埋込データを抽出してデコードし埋込データ判定部４０７に出力する。
【０１８１】
埋込データ判定部４０７は、埋込データデコーダ４０６から入力された埋込データの判定を行い、埋込データの第２，第３ビットの判定を行う。上記表２に示すように、埋込データの第２，第３ビットはデジタル音楽データの複製に関する制限を示し、「００：Ｃｏｐｙ  Ｆｒｅｅ  」は複製に制限がないことを示し、「１０：Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」は一世代に限って複製が許諾されていることを示し、「１１：Ｎｏ  Ｍｏｒｅ  Ｃｏｐｙ，Ｎｅｖｅｒ  Ｃｏｐｙ」は複製が許諾されていないことを示す。
【０１８２】
埋込データ判定部４０７は、埋込データデコーダ４０６から入力された埋込データの第２，第３ビットが「００」か「１０」か「１１」かを判定し、その判定結果を埋込データ録音制御部４０８に出力する。
【０１８３】
そして、埋込データ録音制御部４０８は、埋込データ判定部４０７から入力された埋込データの第２，第３ビットの判定結果が「１１」であった場合は、出力回路４１３に対してデジタル音楽データの出力を停止する旨の指示を出力するとともに、埋込データ書換部４１４に対してデジタル音楽データの記録を行わない旨の指示を出力する。
【０１８４】
埋込データ録音制御部４０８は、埋込データ判定部４０７から入力された埋込データの第２，第３ビットの判定結果が「１０」であった場合、このデジタル音楽データは一世代に限って複製が許諾されたデータであるから、出力回路４１３に対してデジタル音楽データを出力する旨の指示を出力するとともに、埋込データ書換部４１４に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する。
【０１８５】
また、埋込データ録音制御部４０８は、埋込データ判定部４０７から入力された埋込データの第２，第３ビットの判定結果が「００」であった場合、このデジタル音楽データは複製が制限されないデータであるから、出力回路４１３に対してデジタル音楽データを出力する旨の指示を出力するとともに、埋込データ書換部４１４に対してデジタル音楽データを記録する旨の指示を出力する。
【０１８６】
相互認証部４０９は、上記の相互認証部１０３（図１）と同様に、デジタルインタフェース４０４及びデジタル入力端子４０３を介して接続された上記デジタルオーディオ機器との間で、著作権保護のために策定された認証処理を行う回路であり、認証処理を経た後にデジタル入力端子４０３から入力されるデジタル音楽データを暗号解読部４１０に出力する。
【０１８７】
暗号解読部４１０は、上記の暗号解読部１０４（図１）と同様に、暗号化されたデジタル音楽データが相互認証部４０９から入力されると、このデジタル音楽データをデコードして出力回路４１２に出力するとともに、このデジタル音楽データに含まれるＤＲＭ情報を抽出してＤＲＭ録音制御部４１１に出力する。
【０１８８】
ＤＲＭ録音制御部４１１は、暗号解読部４１０から入力されたＤＲＭ情報に設定された複製管理情報の内容（「Ｃｏｐｙ  Ｏｎｃｅ」、「Ｃｏｐｙ  Ｆｒｅｅ」又は「Ｎｏ  Ｍｏｒｅ  Ｃｏｐｙ，Ｎｅｖｅｒ  Ｃｏｐｙ」）を判別し、ＤＲＭ情報に異常がなく、かつ、複製管理情報にデジタル音楽データの複製を許可することを示す「Ｃｏｐｙ  Ｆｒｅｅ」が設定されていた場合、デジタル音楽データの出力を許可する指示を出力回路４１３に出力するとともに、デジタル音楽データの記録を許可する指示を埋込データ書換部４１４に出力する。
【０１８９】
また、ＤＲＭ録音制御部４１１は、複製管理情報に一世代に限って複製を許可することを示す「Ｃｏｐｙ  Ｏｎｃｅ」が設定されていた場合、出力回路４１３に対してデジタル音楽データを出力する旨の指示を出力するとともに、埋込データ書換部４１４に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する。
【０１９０】
さらに、ＤＲＭ録音制御部４１１は、複製管理情報に複製を許可しないことを示す「Ｎｏ  Ｍｏｒｅ  Ｃｏｐｙ，Ｎｅｖｅｒ  Ｃｏｐｙ」が設定されていた場合、出力回路４１３に対してデジタル音楽データを出力を停止する旨の指示を出力するとともに、埋込データ書換部４１４に対してデジタル音楽データの記録を行わない旨の指示を出力する。
【０１９１】
出力回路４１２は、出力回路４０５から入力されるデジタル音楽データ又は暗号解読部４１０から入力されるデジタル音楽データを受信して出力回路４１３に出力する。出力回路４１３は、埋込データ録音制御部４０８又はＤＲＭ録音制御部４１１からデジタル音楽データを出力する旨の指示が入力された場合、出力回路４１２から入力されるデジタル音楽データを埋込データ書換部４１４に出力する。
【０１９２】
埋込データ書換部４１４は、埋込データ録音制御部４０８又はＤＲＭ録音制御部４１１からデジタル音楽データを記録する旨の指示が入力された場合にのみ、出力回路４１３から入力されたデジタル音楽データをデータ記録部４１５に出力する。
【０１９３】
また、埋込データ書換部４１４は、埋込データ録音制御部４０８又はＤＲＭ録音制御部４１１から埋込データの第２，第３ビットを「１１」に書き換える旨の指示が入力された場合には、出力回路４１３から入力されたデジタル音楽データについて、埋込データを「１１」に書き換える処理を行った上で、このデジタル音楽データをデータ記録部４１５に出力する。
【０１９４】
なお、埋込データ書換部４１４によって埋込データを書き換える方法は、上記図２の埋込データ書換部２０９と同様に二通りの方法として、既にデジタル音楽データに埋め込まれている埋込データを除去した上で、新たな埋込データをデジタル音楽データに埋め込む方法と、既にデジタル音楽データに埋め込まれている埋込データを除去せずに、既にデジタル音楽データに埋め込まれている埋込データが無効であることを示すデータと、新たな埋込データとを追記する方法を採用することが可能である。
【０１９５】
データ記録部４１５は、埋込データ書換部４１４から入力されたデジタル音楽データを光ディスク型記録媒体であるＣＤ−Ｒ（Ｃｏｍｐａｃｔ  Ｄｉｓｃ−Ｒｅｃｏｒｄａｂｌｅ）に記録する。
【０１９６】
なお、データ記録部４１５は、ＣＤ−ＲＷ（Ｃｏｍｐａｃｔ  Ｄｉｓｃ−ＲｅＷｒｉｔａｂｌｅ）、ＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ−ＲＡＭ（Ｄｉｇｉｔａｌ  Ｖｅｒｓａｔｉｌｅ  Ｄｉｓｋ−  Ｒａｎｄｏｍ  Ａｃｃｅｓｓ  Ｍｅｍｏｒｙ）等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体、あるいはこれらの記録媒体を内蔵する機器など、記録可能な媒体や機器にデジタルデータを記録するものであっても良い。
【０１９７】
また、データ記録部４１５は、上記の媒体や機器のように可搬性を有し、データ記録装置４から取り外して利用可能な媒体や機器にデジタル音楽データを記録するもののほか、データ記録装置４に内蔵される記録媒体にデジタル音楽データを記録するものとしても良い。
【０１９８】
次に、本実施の形態の動作を説明する。
図７のデータ記録装置４において実行されるデジタル音楽データの記録処理について図８に示すフローチャートに基づいて説明する。
図８において、データ記録装置４は、アナログ入力端子４０１を介してアナログ音楽信号、又は、デジタル入力端子４０３を介してデジタル音楽データを受信するが、デジタル音楽データをデジタルインタフェース４０４で受信すると（ステップＳ４０１）、この受信データが暗号化データか否かを判別する（ステップＳ４０２）。すなわち、上記認証処理に準じたデータか否かを暗号化データの有無により判別する。
【０１９９】
デジタルインタフェース４０４は、受信データが暗号化データである場合は（ステップＳ４０２：Ｙｅｓ）、受信データを相互認証部４０９に出力してデータ送信元のデジタルオーディオ機器との認証を行わせる（ステップＳ４０３）。
【０２００】
相互認証部４０９では、デジタルインタフェース４０４及びデジタル入力端子４０３を介して接続されたデジタルオーディオ機器との間で、著作権保護のために策定された認証処理が行われ、認証処理を経た後にデジタル入力端子４０３から入力されるデジタル音楽データが暗号解読部４１０に出力される。
【０２０１】
暗号解読部４１０は、相互認証部４０９から入力された暗号化されたデジタル音楽データをデコードして出力回路４１２に出力するとともに、このデジタル音楽データに含まれるＤＲＭ情報を抽出してＤＲＭ録音制御部４１１に出力する（ステップＳ４０４）。
【０２０２】
ＤＲＭ録音制御部４１１は、暗号解読部４１０から入力されたＤＲＭ情報の内容を識別し、ＤＲＭ情報に異常がなく、かつ、ＤＲＭ情報に設定されたデジタル音楽データの複製管理情報を判別する（ステップＳ４０５）。ＤＲＭ録音制御部４１１は、デジタル音楽データの複製管理情報が「Ｃｏｐｙ  Ｏｎｃｅ」、「Ｃｏｐｙ  Ｆｒｅｅ」又は「Ｎｏ  Ｍｏｒｅ  Ｃｏｐｙ，Ｎｅｖｅｒ  Ｃｏｐｙ」か否かを判別する。
【０２０３】
ＤＲＭ処理部４１１は、複製管理情報に一世代に限って複製を許可することを示す「Ｃｏｐｙ  Ｏｎｃｅ」が設定されていた場合、出力回路４１３に対してデジタル音楽データを出力する旨の指示を出力するとともに、埋込データ書換部４１４に対して埋込データの第２，第３ビットを「Ｎｏ  Ｍｏｒｅ  Ｃｏｐｙ」を示す「１１」に書き換える旨の指示と、デジタル音楽データの記録を許可する旨の指示とを出力する（ステップＳ４０７）。
【０２０４】
出力回路４１３では、ＤＲＭ処理部４１１からデジタル音楽データの出力を許可する指示が入力されると、暗号解読部４１０から出力回路４１２を介して入力されたデジタル音楽データが埋込データ書換部４１４に出力される。
【０２０５】
埋込データ書換部４１４は、ＤＲＭ録音制御部４１１から埋込データの第２，第３ビットを「１１」に書き換える旨の指示と、デジタル音楽データの記録を許可する旨の指示が入力されると、出力回路４１３から入力されたデジタル音楽データの埋込データの第２，第３ビットを「１０」から「１１」に書き換えてデータ記録部４１５に出力して、データ記録部４１５によりデジタル音楽データをＣＤ−Ｒに記録させる（ステップＳ４０８）。
【０２０６】
また、ＤＲＭ録音制御部４１１は、複製管理情報にデジタル音楽データの複製を許可することを示す「Ｃｏｐｙ  Ｆｒｅｅ」が設定されていた場合、デジタル音楽データの出力を許可する指示を出力回路４１３に出力するとともに、デジタル音楽データの記録を許可する指示を埋込データ書換部４１４に出力する。
【０２０７】
出力回路４１３では、ＤＲＭ録音制御部４１１からデジタル音楽データの出力を許可する指示が入力されると、暗号解読部４１０から出力回路４１２を介して入力されたデジタル音楽データが埋込データ書換部４１４に出力される。
【０２０８】
そして、埋込データ書換部４１４は、ＤＲＭ録音制御部４１１からデジタル音楽データの記録を許可する旨の指示が入力されると、出力回路４１３から入力されたデジタル音楽データをデータ記録部４１５に出力して、データ記録部４１５によりデジタル音楽データをＣＤ−Ｒに記録させる（ステップＳ４０８）。
【０２０９】
また、ＤＲＭ録音制御部４１１は、複製管理情報に複製を許可しないことを示す「Ｎｏ  Ｍｏｒｅ  Ｃｏｐｙ，Ｎｅｖｅｒ  Ｃｏｐｙ」が設定されていた場合、出力回路４１３に対してデジタル音楽データを出力を停止する旨の指示を出力するとともに、埋込データ書換部４１４に対してデジタル音楽データの記録を行わない旨の指示を出力して、デジタル音楽データの記録を禁止する（ステップＳ４０６）。
【０２１０】
また、ステップＳ４０２において、受信データが暗号化データでない場合は（ステップＳ４０２：Ｎｏ）、デジタルインタフェース４０４は、受信データを出力回路４０５を介して埋込データデコーダ４０６に出力する。
埋込データデコーダ４０６では、ＭＰ３等の形式で圧縮されたデジタル音楽データがデコードされて出力回路４１２に出力されるともに、このデジタル音楽データに埋め込まれた埋込データが抽出されデコードされて埋込データ判定部４０７に出力される。
【０２１１】
埋込データ判定部４０７は、埋込データデコーダ４０６から入力された埋込データを解読し（ステップＳ４０９）、埋込データの第２，第３ビットに設定される複製管理情報の判定を行う。上記表２に示すように、埋込データの第２，第３ビットはデジタル音楽データの複製に関する制限を示し、「００：Ｃｏｐｙ  Ｆｒｅｅ」は複製に制限がないことを示し、「１０：Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」は一世代に限って複製が許諾されていることを示し、「１１：Ｎｏ  Ｍｏｒｅ  Ｃｏｐｙ，Ｎｅｖｅｒ  Ｃｏｐｙ」は複製が許諾されていないことを示す。
【０２１２】
そして、埋込データ判定部４０７は、埋込データデコーダ４０６から入力された埋込データの第２，第３ビットが「００」か「１０」か「１１」かを判定し、その判定結果を埋込データ録音制御部４０８に出力する。
【０２１３】
埋込データ録音制御部４０８は、埋込データ判定部４０７から入力された埋込データの第２，第３ビットの判定結果が「１１：Ｎｏ  Ｍｏｒｅ  Ｃｏｐｙ，Ｎｅｖｅｒ  Ｃｏｐｙ」であった場合は、出力回路４１３に対してデジタル音楽データの出力を停止する旨の指示を出力するとともに、埋込データ書換部４１４に対してデジタル音楽データの記録を行わない旨の指示を出力して、デジタル音楽データの記録を禁止する（ステップＳ４１１）。
【０２１４】
また、埋込データ録音制御部４０８は、埋込データ判定部４０７から入力された埋込データの第２，第３ビットが「１０：Ｃｏｐｙ  Ｏｎｃｅ（Ｏｎｅ  Ｇｅｎｅｒａｔｉｏｎ  Ｃｏｐｙ  Ｐｅｒｍｉｔｔｅｄ）」であった場合、このデジタル音楽データは一世代に限って複製が許諾されたデータであるから、出力回路４１３に対してデジタル音楽データを出力する旨の指示を出力するとともに、埋込データ書換部４１４に対して埋込データの第２，第３ビットを「Ｎｏ  Ｍｏｒｅ  Ｃｏｐｙ」を示す「１１」に書き換える旨の指示と、デジタル音楽データを記録する旨の指示とを出力する（ステップＳ４０７）。
【０２１５】
出力回路４１３では、埋込データ録音制御部４０８からデジタル音楽データの出力を許可する指示が入力されると、出力回路４１２から入力されたデジタル音楽データが埋込データ書換部４１４に出力される。
【０２１６】
そして、埋込データ書換部４１４は、埋込データ録音制御部４０８から埋込データの第２，第３ビットを「１１」に書き換える旨の指示と、デジタル音楽データの記録を許可する旨の指示が入力されると、出力回路４１３から入力されたデジタル音楽データの埋込データの第２，第３ビットを「１０」から「１１」に書き換えてデータ記録部４１５に出力して、データ記録部４１５によりデジタル音楽データをＣＤ−Ｒに記録させる（ステップＳ４０８）。
【０２１７】
さらに、埋込データ録音制御部４０８は、埋込データ判定部４０７から入力された埋込データの第２，第３ビットが「００：Ｃｏｐｙ  Ｆｒｅｅ」であった場合、このデジタル音楽データは複製が制限されないデータであるから、出力回路４１３に対してデジタル音楽データを出力する旨の指示を出力するとともに、埋込データ書換部４１４に対してデジタル音楽データを記録する旨の指示を出力する。
【０２１８】
そして、出力回路４１３では、埋込データ録音制御部４０８からデジタル音楽データを出力する旨の指示が入力されると、出力回路４１２から入力されたデジタル音楽データが埋込データ書換部４１４に出力される。
【０２１９】
そして、埋込データ書換部４１４は、埋込データ録音制御部４０８からデジタル音楽データを記録する旨の指示が入力されると、出力回路４１３から入力されたデジタル音楽データをデータ記録部４１５に出力して、データ記録部４１５によりデジタル音楽データをＣＤ−Ｒに記録させる（ステップＳ４０８）。
【０２２０】
以上のように、データ記録装置４は、デジタルオーディオ機器から受信したデジタル音楽データに埋め込まれた埋込データを判定することによって、埋込データに含まれた複製管理情報の設定内容がデジタル音楽データの複製を許可するものか否かを判定し、一世代に限って複製が許諾されたデータであることを示す情報の場合は、埋込データの複製管理情報を複製禁止を示す情報に書き換えた上でデジタル音楽データを記録させる。
【０２２１】
さらに、データ記録装置４は、埋込データに含まれた複製管理情報の設定内容が複製禁止のデータであることを示す情報の場合は、受信したデジタル音楽データの記録を行わない。
【０２２２】
これにより、パッケージメディア等の再生メディアからコピーされ、複製が正規に許諾されていないデータがデジタルオーディオ機器により再生されて入力された場合は、その記録を行わないので、著作権を無視した不正なデータが際限なく複製されることがない。
【０２２３】
したがって、埋込データで指示される複製の制限が無視されることなく確実に遵守され、著作権の保護に準じたデジタル音楽データの複製を制限することなく、著作権を無視した複製のみを確実に防止できる。
【０２２４】
また、データ記録装置４は、相互認証部４０９によって認証処理を経て入力されたデジタル音楽データについては、ＤＲＭ録音制御部４１１でＤＲＭ情報の内容を解析することで、デジタル音楽データに付加されたＤＲＭ情報に基づく記録処理を行う。このため、著作権の保護に対応するデジタル音楽データについては問題なく記録することができる。
【０２２５】
【発明の効果】
本発明によれば、パッケージメディア等の再生メディアからコピーされ、ネットワークを介した配信が正規に許諾されていないデータが入力された場合は、その再生又は記録を行わないので、著作権を無視した不正なデータが際限なく利用されることがなく、著作権を無視したデジタル音楽データの再生及び記録を防止できる。また、認証処理を経て入力されたデジタル音楽データについては、コンテンツデータに、複製の制限に関する情報が付加されることにより、著作権者が意図する複製の制限に反してコンテンツデータが複製されることがなく、著作権を無視したデジタル音楽データの複製を防止できる。
【図面の簡単な説明】
【図１】本発明を適用した第１の実施の形態におけるデータ受信再生装置１の機能的構成を示すブロック図である。
【図２】図１のデータ受信再生装置１により実行される受信再生処理を示すフローチャートである。
【図３】本発明を適用した第２の実施の形態におけるデータ受信記録装置２の機能的構成を示すブロック図である。
【図４】図３のデータ受信記録装置２により実行される受信記録処理を示すフローチャートである。
【図５】本発明を適用した第３の実施の形態におけるデータ再生装置３の機能的構成を示すブロック図である。
【図６】図５のデータ再生装置３により実行される再生処理を示すフローチャートである。
【図７】本発明を適用した第４の実施の形態におけるデータ記録装置４の機能的構成を示すブロック図である。
【図８】図７のデータ記録装置４により実行される記録処理を示すフローチャートである。
【符号の説明】
１  データ受信再生装置
２  データ受信記録装置
３  データ再生装置
４  データ記録装置
１０１，２０１  ネットワーク接続端子
１０２，２０２  通信制御部
１０３，２０３，４０９  相互認証部
１０４，２０４，４１０  暗号解読部
１０５，２０５  ＤＲＭ処理部
１０６，１１１，２０６，２０８，２１４，３０８，４０５，４１２，４１３出力回路
１０７，１０８，２０７，２１１  受信データデコーダ
１０９，２１２，３０４，４０６  埋込データデコーダ
１１０，２１３，４０７  埋込データ判定部
１１２，３１０  Ｄ／Ａコンバータ
１１３  アナログ出力端子
２０９，４１４  埋込データ書換部
２１０  記録部
３０１  ＣＤドライブ
３０２  読取部
３０３  サブコード読取部
３０５  比較部
３０６  再生制御部
３０７  記録メディア判定部
３０９  デジタル信号出力部
４０１  アナログ入力端子
４０２  Ａ／Ｄコンバータ
４０３  デジタル入力端子
４０４  デジタルインタフェース
４０８  埋込データ録音制御部
４１１  ＤＲＭ録音制御部
４１５  データ記録部
【図１】
2004212768.tif 000006
【図２】
2004212768.tif 000007
【図３】
2004212768.tif 000008
【図４】
2004212768.tif 000009
【図５】
2004212768.tif 000010
【図６】
2004212768.tif 000011
【図７】
2004212768.tif 000012
【図８】
2004212768.tif 000013